(57)【要約】【課題】制動力発生機構の電圧が十分に確保できない状況であっても、ブレーキペダルの操作動作を介して制動力の変化を抑制することができる車両用制動制御装置を提供する。【解決手段】所定電圧を生成可能なバッテリ３と、ブレーキペダル９のストロークＳｔを電力を用いて倍力して車輪ＦＬ，ＦＲ，ＲＬ，ＲＲの制動力を発生させる制動液圧生成機構５と、バッテリ３に対して制動液圧生成機構５と並列状に接続され且つエンジン８を始動可能なスタータモータ４と、ブレーキペダル９のストロークＳｔに対応した反力をブレーキペダル９に発生させる反力発生機構６と、制動液圧生成機構５と反力発生機構６を制御可能なＥＣＵ１０とを備えた制動制御装置１において、ＥＣＵ１０は、イグニッションオフ状態からエンジン８の始動完了まで反力発生機構６による反力をブレーキペダル９に発生させている。【選択図】  図２
2019038319.tif 000002
【特許請求の範囲】
【請求項１】
所定電圧を生成可能な主電源と、ブレーキペダルの操作量を電力を用いて倍力して車輪の制動力を発生させる制動力発生機構と、前記主電源に対して前記制動力発生機構と並列状に接続され且つエンジンを始動可能なスタータモータと、前記ブレーキペダルの操作量に対応した反力をブレーキペダルに発生させる反力発生機構と、前記制動力発生機構と反力発生機構を制御可能な制御手段とを備えた車両用制動制御装置において、
前記制御手段は、前記スタータモータの作動完了前に所定値以上の反力を前記ブレーキペダルに発生させることを特徴とする車両用制動制御装置。
【請求項２】
前記制御手段が、前記ブレーキペダルの操作量と制動力発生機構の制動力との倍力比を１倍に設定したことを特徴とする請求項１に記載の車両用制動制御装置。
【請求項３】
前記制動力発生機構は、前記主電源の充電状態が閾値以下になった場合、制動力が減少されるように構成されたことを特徴とする請求項１又は２に記載の車両用制動制御装置。
【請求項４】
前記ブレーキペダルの操作量に基づく油圧で車輪の制動力を発生可能なマスタシリンダを有し、
前記反力発生機構が、前記マスタシリンダと流路を介して連通されたストロークシミュレータと、前記流路の途中部を開閉可能な切替弁とにより構成されたことを特徴とする請求項１〜３の何れか１項に記載の車両用制動制御装置。
【請求項５】
前記制御手段は、前記切替弁の閉操作に電力が必要な場合、前記スタータモータの操作直前状態からエンジン始動完了まで前記反力を前記ブレーキペダルに発生させることを特徴とする請求項４に記載の車両用制動制御装置。
【請求項６】
前記制御手段は、前記切替弁の閉操作に電力が不要な場合、イグニッションオフ状態からエンジン始動完了まで前記反力を前記ブレーキペダルに発生させることを特徴とする請求項４に記載の車両用制動制御装置。
【発明の詳細な説明】
【技術分野】
【０００１】
本発明は、車両用制動制御装置に関し、特にブレーキペダルの操作量を電力を用いて倍力する制動力発生機構とブレーキペダルの操作量に対応した反力を発生させる反力発生機構とを備えた車両用制動制御装置に関する。
【背景技術】
【０００２】
従来より、乗員によって操作される操作手段と、この操作手段に操作反力を付与する反力発生機構と、操作手段に対する操作量に応じて車両が所定の応答量動作するように駆動する駆動手段とを備えたバイワイヤ方式の車両が知られている。
ブレーキバイワイヤは、操作フィーリングの向上等の利点が注目されている技術である。
【０００３】
このブレーキバイワイヤ技術では、装置全体を統括する制御手段が、乗員によって操作されたブレーキペダルのストロークに基づいて操作反力（踏力）を設定して反力発生機構に対して制御信号を出力し、設定された踏力に基づいて制動力（減速度）を設定して制動力発生機構に対して制御用のブレーキ液圧を出力する。ブレーキペダルのストロークと操作反力との関係を規定した踏力特性マップ及びストローク（または、操作反力）と制動力との関係を規定した制動力特性マップが、制御手段に予め記憶されている。
【０００４】
ブレーキペダルのストロークに対応するように作動される制動力発生機構は、その機能性確保が安全性に直結するものであるため、様々なフェイルセーフ対策が提案されている。
特許文献１のブレーキシステムは、乗員によるブレーキペダルのストロークに対応して作動する常用油圧ブレーキと、電動パーキングブレーキとを備え、電動パーキングブレーキの解除を常用油圧ブレーキの油圧配管の一部から得られる油圧を用いて行っている。
これにより、常用油圧ブレーキに発生している油圧系の不具合をブレーキペダルの操作動作を介して乗員に伝達している。
【先行技術文献】
【特許文献】
【０００５】
【特許文献１】特開２００５−３１９８４８号公報
【発明の概要】
【発明が解決しようとする課題】
【０００６】
ブレーキバイワイヤ技術では、反力発生機構と制動力発生機構が、車両主電源に夫々接続され、その構造上、バッテリの充電状態（ＳＯＣ：Stage Of Charge）が機能確保に必要な所定閾値を下回った場合、両機構に電圧を十分に供給できない虞がある。
それ故、登坂路等で駐車した後、エンジンが再始動されるとき、エンジンを始動させるスタータモータに対してバッテリから大きな電力が供給されるため、一時的にバッテリの充電状態が低下し、その結果、制動力発生機構による各車輪の制動力が十分に確保されない虞がある。
【０００７】
特許文献１の技術は、パーキングブレーキ解除の際、ブレーキペダルの操作動作を介して乗員に油圧系の不具合（例えば、配管欠陥）等の車両情報を伝達することができる。
しかし、特許文献１の技術では、既に発生している不具合（実際の油圧低下）を乗員に対して伝達しているに過ぎず、不具合が発生する前段階において車両の後退を乗員に伝達することは困難である。従って、特許文献１の技術は、発生する前段階において不具合を乗員に予告伝達するものではなく、発生前の不具合を未然に回避するものでもない。
【０００８】
しかも、特許文献１の技術では、ブレーキペダルのストロークに対応して作動する常用油圧ブレーキに加え、その構成上、他の制動機構である電動パーキングブレーキを必要としているため、装置が大型化すると共に製造コストが高価になる虞がある。
即ち、ブレーキペダルの操作動作を介して発生する前段階において不具合を乗員に予告し、この予告情報に基づき発生前の不具合を未然に回避する技術を提案するものは現時点では存在していない。
【０００９】
本発明の目的は、制動力発生機構の電圧が十分に確保できない状況であっても、ブレーキペダルの操作動作を介して制動力の変化を抑制可能な車両用制動制御装置等を提供することである。
【課題を解決するための手段】
【００１０】
請求項１の車両用制動制御装置は、所定電圧を生成可能な主電源と、ブレーキペダルの操作量を電力を用いて倍力して車輪の制動力を発生させる制動力発生機構と、前記主電源に対して前記制動力発生機構と並列状に接続され且つエンジンを始動可能なスタータモータと、前記ブレーキペダルの操作量に対応した反力をブレーキペダルに発生させる反力発生機構と、前記制動力発生機構と反力発生機構を制御可能な制御手段とを備えた車両用制動制御装置において、前記制御手段は、前記スタータモータの作動完了前に所定値以上の反力を前記ブレーキペダルに発生させることを特徴としている。
【００１１】
この車両用制動制御装置では、前記制御手段は、前記スタータモータの作動完了前に所定値以上の反力を前記ブレーキペダルに発生させることにより、乗員の踏力増加を誘発することができるため、一時的に主電源の充電状態が低下しても、制動力発生機構による各車輪の制動力を十分に確保することができる。
【００１２】
請求項２の発明は、請求項１の発明において、前記制御手段が、前記ブレーキペダルの操作量と制動力発生機構の制動力との倍力比を１倍に設定したことを特徴としている。
この構成によれば、制動力発生機構による制動力が低下されても、乗員の踏力に基づく制動力で停車状態を維持することができる。
【００１３】
請求項３の発明は、請求項１又は２の発明において、前記制動力発生機構は、前記主電源の充電状態が閾値以下になった場合、制動力を低下させるように構成されたことを特徴としている。
この構成によれば、主電源の充電状態が閾値以下になり制動力を低下させる制動力発生機構であっても、各車輪の制動力を確保することができる。
【００１４】
請求項４の発明は、請求項１〜３の何れか１項の発明において、前記ブレーキペダルの操作量に基づく油圧で車輪の制動力を発生可能なマスタシリンダを有し、前記反力発生機構が、前記マスタシリンダと流路を介して連通されたストロークシミュレータと、前記流路の途中部を開閉可能な切替弁とにより構成されたことを特徴としている。
この構成によれば、ストロークシミュレータを用いて乗員の踏力増加を誘発することができる。
【００１５】
請求項５の発明は、請求項４の発明において、前記制御手段は、前記切替弁の閉操作に電力が必要な場合、前記スタータモータの操作直前状態からエンジン始動完了まで前記反力を前記ブレーキペダルに発生させることを特徴としている。
この構成によれば、前記切替弁の閉操作に電力が必要な油圧回路において、消費電力を抑えつつ車両の後退を回避することができる。
【００１６】
請求項６の発明は、請求項４の発明において、前記制御手段は、前記切替弁の閉操作に電力が不要な場合、イグニッションオフ状態からエンジン始動完了まで前記反力を前記ブレーキペダルに発生させることを特徴としている。
この構成によれば、前記切替弁の閉操作に電力が不要な油圧回路において、消費電力を抑えつつ車両の後退を回避することができる。
【発明の効果】
【００１７】
本発明の車両用制動制御装置によれば、ブレーキペダルの操作動作を介して車両情報を乗員に伝達することにより、制動力発生機構の電圧が十分に確保できない状況であっても、制動力の変化を抑制することができる。
【図面の簡単な説明】
【００１８】
【図１】実施例１に係る制動制御装置の機能ブロック図である。
【図２】制動制御装置の概略構成図である。
【図３】ストロークと踏力との関係を示す踏力特性のマップである。
【図４】踏力と減速度との関係を示す制動特性のマップである。
【図５】始動制御処理手順を示すフローチャートである。
【図６】実施例１に係る各要素のタイムチャートである。
【図７】変形例に係る各要素のタイムチャートである。
【発明を実施するための形態】
【００１９】
以下、本発明の実施形態を図面に基づいて詳細に説明する。
以下の説明は、本発明を車両の制動制御装置に適用したものを例示したものであり、本発明、その適用物、或いは、その用途を制限するものではない。
【実施例１】
【００２０】
以下、本発明の実施例１について図１〜図６に基づいて説明する。
まず、車両Ｖの概略構成について説明する。
図１に示すように、本実施例に係る車両Ｖは、二次電池のバッテリ７に電気的に接続されたＤＣＤＣコンバータ２と、車両主電源のバッテリ３と、エンジン８に連結されたスタータモータ４と、電動ブレーキブースタによって構成された制動液圧生成機構５（制動力発生機構）と、ブレーキペダル９に対してペダルストローク（以下、単にストロークと略す。）Ｓｔに応じた反力を付与する反力発生装置６（反力発生機構）と、これらを統合制御するＥＣＵ（Electronic Control Unit）１０（制御手段）等を備え、ブレーキバイワイヤ機構である制動制御装置１を構成している。
【００２１】
ＤＣＤＣコンバータ２は、エンジン８の稼働中において、発電機等によりバッテリ７に蓄電された二次電池の電源電圧を１２Ｖに変換してバッテリ３に蓄電可能に構成されている。
スタータモータ４は、バッテリ３に対して制動液圧生成機構５や反力発生装置６等と同様に電気的に並列状に接続されている。このスタータモータ４は、乗員によるスタータスイッチ１１のオン操作によってバッテリ３の電力が通電されるため、休止（停止）中のエンジン８がクランキングされ、再始動するように構成されている。
【００２２】
ＥＣＵ１０は、ＣＰＵ（Central Processing Unit）と、ＲＯＭと、ＲＡＭと、イン側インタフェースと、アウト側インタフェース等によって構成されている。ＲＯＭには、踏力及び制動力を制御するための種々のプログラムやデータ及びマップが格納され、ＲＡＭには、ＣＰＵが一連の処理を行う際に使用される処理領域が設けられている。
ＥＣＵ１０は、ブレーキペダル９のストロークＳｔを検出するストロークセンサ１２と、エンジン８の回転数を検出する回転数センサ１３と、バッテリ３の充電状態（ＳＯＣ：Stage Of Charge）を検出するＳＯＣセンサ１４と、車両Ｖが走行（停車）する路面勾配を検出する勾配センサ１５等と電気的に接続され、各センサ１２〜１５の検出信号が順次入力されている。
【００２３】
次に、制動制御装置１について説明する。
図２に示すように、制動制御装置１は、制動液圧生成機構５と、反力発生装置６と、ＥＣＵ１０と、ブレーキペダル９のストロークＳｔに応じたブレーキ液圧を生成可能なマスタシリンダ１６と、このマスタシリンダ１６又は制動液圧生成機構５により発生されたブレーキ液圧によって車両の前後左右輪ＦＬ，ＦＲ，ＲＬ，ＲＲの回転を夫々制動するホイールシリンダ１７ａ〜１７ｄ等を備えている。
制動液圧生成機構５の正常時、制動液圧生成機構５から各ホイールシリンダ１７ａ〜１７ｄに対してブレーキペダル９の操作に対して倍力（例えば、倍力比２倍以上）されたブレーキ液圧を供給し、制動液圧生成機構５の異常時、マスタシリンダ１６から各ホイールシリンダ１７ａ〜１７ｄに対してブレーキペダル９の操作に対応したブレーキ液圧（例えば、倍力比１倍）を供給するように構成されている。
【００２４】
次に、マスタシリンダ１６について説明する。
マスタシリンダ１６は、第１圧力発生室１６ａと、第２圧力発生室１６ｂとを備えている。第１，第２圧力発生室１６ａ，１６ｂは、リザーバタンク１８に夫々接続され、内部に圧縮スプリングを夫々備えている。これら第１，第２圧力発生室１６ａ，１６ｂは、ブレーキペダル９の踏込操作に応じて略同様のブレーキ液圧を圧送可能に構成されている。
第１圧力発生室１６ａは、開閉可能な電磁弁２１を介してホイールシリンダ１７ａ，１７ｂに連通され、第２圧力発生室１６ｂは、開閉可能な電磁弁２４を介してホイールシリンダ１７ｃ，１７ｄに連通されている。電磁弁２１，２４は、通電時、閉作動すると共に制動液圧生成機構５の異常時、非通電状態にされて開作動される。
【００２５】
次に、制動液圧生成機構５について説明する。
制動液圧生成機構５は、リザーバタンク１８に接続され、電動モータと、油圧ポンプ等によって構成されている。この制動液圧生成機構５は、異常時、例えば、バッテリ３のＳＯＣが判定閾値未満のとき、作動に必要な電圧確保が難しい。
制動液圧生成機構５は、開閉可能な電磁弁２２を介してホイールシリンダ１７ａ，１７ｂに連通され、開閉可能な電磁弁２３を介してホイールシリンダ１７ｃ，１７ｄに連通されている。電磁弁２２，２３は、通電時、開作動されている。
【００２６】
図２に示すように、電磁弁２１の下流側流路と電磁弁２２の下流側流路とが連通され、電磁弁２３の下流側流路と電磁弁２４の下流側流路とが連通されている。
各ホイールシリンダ１７ａ〜１７ｄの上流側流路には、リザーバタンク１８にブレーキ液圧をリターンさせるリターン流路が夫々設けられている。
【００２７】
これにより、制動液圧生成機構５が正常時、電磁弁２１〜２４は第１モード、所謂電磁弁２１，２４が閉作動且つ電磁弁２２，２３が開作動に設定され、各ホイールシリンダ１７ａ〜１７ｄに対して制動液圧生成機構５から倍力比２倍以上のブレーキ液圧が供給される。一方、制動液圧生成機構５が異常時、電磁弁２１〜２４は第２モード、所謂電磁弁２１，２４が開作動且つ電磁弁２２，２３が閉作動に設定され、各ホイールシリンダ１７ａ〜１７ｄに対してマスタシリンダ３から直接的に倍力比１倍のブレーキ液圧が供給される。
【００２８】
次に、反力発生機構６について説明する。
反力発生機構６は、第１圧力発生室１６ａと電磁弁２１とを連通する流路に接続されると共に、ストロークシミュレータ６ａとシミュレータバルブ６ｂとを備えている。
ストロークシミュレータ６ａは、消費油量をシミュレートし、マスタシリンダ１６（１６ａ）から圧送されたブレーキ液圧を吸収して消費するように構成されている。
このストロークシミュレータ６ａは、例えば、シリンダと、このシリンダ内に摺動自在なピストンと、ピストンを付勢する付勢手段等によって形成されている。
【００２９】
シミュレータバルブ６ｂは、第１圧力発生室１６ａと電磁弁２１とを連通する流路とストロークシミュレータ６ａとの間に一方弁と並列状に配設されて通電時、開作動する電磁弁によって構成されている。
シミュレータバルブ６ｂを開操作することにより、乗員がブレーキペダル９を踏込又は踏戻操作したとき、ブレーキペダル９を介して予め設定された特性を備えた操作反力（踏力Ｆ）を乗員に対して作用させることができる。また、シミュレータバルブ６ｂを閉操作することにより、乗員に対して高い操作反力を作用させることができ、閉操作を微調整することにより、ブレーキペダル９を介して乗員に付与する操作反力を微調整することも可能である。尚、ブレーキペダル９から乗員の脚に対して作用する操作反力と乗員がブレーキペダル９を操作する踏力Ｆは作用反作用の関係であるため、以下、説明に応じて表現を使い分けている。
【００３０】
次に、ＥＣＵ１０について説明する。
ＥＣＵ１０は、制動液圧生成機構５と、反力発生機構６と、ストロークセンサ１２と、電磁弁２１〜２４等に電気的に接続されると共に、減速度制御処理、踏力制御処理、及び始動制御処理を実行可能に構成されている。
【００３１】
まず、減速度制御処理及び踏力制御処理について説明する。
図３に示すように、ＥＣＵ１０は、踏力特性マップＭ１を有している。
マップＭ１は、所定の関数、例えば、対数によって規定されている。
次式に示すように、乗員の感覚の強さは刺激の強さの対数に比例している（ウェーバー・フェヒナーの法則）。
Ａ＝ｋｌｏｇＢ＋Ｋ                                                    
尚、Ａは感覚量、Ｂは物理量、ｋはゲイン、Ｋは積分定数である。
それ故、踏力特性マップＭ１には、乗員がブレーキペダル９を操作する踏力Ｆとブレーキペダル９のストロークＳｔとが対数関係になる特性が予め設定されている。
【００３２】
ＥＣＵ１０は、ストロークセンサ１２で検出されたストロークＳｔと踏力特性マップＭ１とに基づき目標操作反力に相当する踏力Ｆを設定し、これに対応した作動指令信号を反力発生機構６に出力している。
これにより、乗員が知覚するブレーキペダル９の踏力Ｆとブレーキペダル９のストロークＳｔとの関係を人間の知覚特性状線形にすることができ、乗員が体性感覚を介して感じる知覚量とブレーキペダル９を操作する物理的な操作量との乖離を回避している。
【００３３】
図４に示すように、ＥＣＵ１０は、制動特性マップＭ２を有している。
ＥＣＵ１０は、検出されたストロークＳｔを介して設定された踏力Ｆと制動特性マップＭ２とを用いて車両の目標減速度に相当する減速度Ｄを設定し、第１モードにおいて減速度Ｄに対応した作動指令信号を制動液圧生成機構５に出力している。
これにより、各ホイールシリンダ１７ａ〜１７ｄが駆動され、制動特性マップＭ２に基づく減速度Ｄの制動が実行されている。
【００３４】
次に、始動制御処理について説明する。
制動液圧生成機構５は、バッテリ３のＳＯＣが閾値以下になった場合、スタータモータ４に電力を集中するため、作動に必要な電圧が十分に供給されない。
それ故、登坂路等で駐車した後、エンジン８が再始動されるとき、エンジン８を始動させるスタータモータ４に対してバッテリ３から大きな電力が供給されるため、一時的にバッテリ３のＳＯＣが低下し、その結果、制動液圧生成機構５による各車輪の制動力が十分に確保されない虞がある。
そこで、ＥＣＵ１０は、エンジン８の再始動時、スタータモータ４の作動完了（スタータスイッチ１１のオン操作）前に所定値以上の操作反力をブレーキペダル９に発生させることにより、乗員の踏力増加を誘発している。
【００３５】
具体的には、ＥＣＵ１０は、スタータスイッチ１１のオン操作前において、乗員がブレーキペダル９を操作する操作反力に対して倍力比１倍のブレーキ液圧を供給するように制動液圧生成機構５を制御すると共に、これに対応したブレーキペダル９の操作反力を発生するように反力発生機構６を制御している。
また、ＥＣＵ１０は、スタータスイッチ１１がオン操作された時点からエンジン８の始動が完了するまでの間、エンジン８のクランキング性を高めるため、スタータモータ４への電力が集中するように制動液圧生成機構５の作動を停止させている。
これにより、スタータモータ４の作動完了前は、反力発生機構６によってブレーキペダル９に倍力比１倍に対応した操作反力が発生されると共に制動液圧生成機構５から倍力比１倍のブレーキ液圧がホイールシリンダ１７ａ〜１７ｄに対して供給され、スタータスイッチ１１のオン操作時及びスタータスイッチ１１がオン操作された時点からエンジン８の始動が完了するまでの間は、マスタシリンダ３から直接的に倍力比１倍のブレーキ液圧がホイールシリンダ１７ａ〜１７ｄに対して供給されている。
【００３６】
次に、図５のフローチャート及び図６のタイムチャートに基づいて、始動制御処理手順について説明する。
尚、Ｓｉ（ｉ＝１，２…）は、各処理のためのステップを示している。
また、図６のタイムチャートは、１段目から順に、イグニッション操作状態、スタータモータ４の操作状態、制動液圧生成機構５の作動状態、シミュレータバルブ６ｂの作動状態、反力発生機構６による操作反力量、ブレーキペダル９のストロークＳｔを夫々示している。
【００３７】
図５に示すように、まず、各種情報を読み込み、Ｓ２へ移行する。
Ｓ２では、フラグＦが０か否か判定する。
尚、フラグＦは、始動制御処理を実行中のとき、Ｆ＝１が設定され、それ以外のとき、Ｆ＝０が設定されている。
【００３８】
Ｓ２の判定の結果、フラグＦが０の場合、Ｓ３に移行し、イグニッションがオフ操作されたか否か判定する。
Ｓ３の判定の結果、イグニッションがオフ操作された場合、ブレーキペダル９の操作反力を増加するため、シミュレータバルブ６ｂを閉方向に操作し（Ｓ４）、Ｓ５に移行する。
図６に示すように、閉操作に電力が不要なシミュレータバルブ６ｂにおいて、消費電力を抑えるため、イグニッションがオフ操作された時刻ｔ０と、シミュレータバルブ６ｂを閉操作する時刻ｔ０とが同時刻に設定されている。
【００３９】
Ｓ５では、ブレーキペダル９の操作量であるストロークＳｔが所定値以上か否か判定する。
本実施例では、路面勾配と倍力比１倍のときに車両Ｖの停止に必要なブレーキペダル９の操作量（ストロークＳｔ）との関係を予め保有しており、勾配センサ１５の検出値に基づき車両Ｖの停止に必要なブレーキペダル９のストロークＳｔが上記所定値として設定される。
【００４０】
Ｓ５の判定の結果、ブレーキペダル９のストロークＳｔが所定値以上の場合、電磁弁２１〜２４を第１モードに設定し（Ｓ６）、Ｓ７に移行する。
Ｓ５の判定の結果、ブレーキペダル９のストロークＳｔが所定値未満の場合、Ｓ４にリターンして、シミュレータバルブ６ｂを更に閉方向に操作する。
図６に示すように、時刻ｔ１において、マスタシリンダ１６から供給される倍力比１倍のブレーキ液圧でも車両Ｖの後退を回避できるブレーキペダル９のストロークＳｔ及びこれに対応した操作反力が設定される。尚、制動液圧生成機構５は、イグニッションがオフであっても、反力発生機構６の作動に関わりなく時刻ｔ０の制動力を維持している。
【００４１】
Ｓ７では、制動液圧生成機構５による倍力比を１倍に設定し、フラグＦを１に設定して（Ｓ８）、リターンする。
Ｓ３の判定の結果、イグニッションがオフ操作されない場合、車両Ｖが運転状態又は停止状態であるため、ブレーキペダル９の操作反力や制動力を現状維持してリターンする。
【００４２】
Ｓ２の判定の結果、フラグＦが１の場合、始動制御処理を実行中であるため、Ｓ９に移行し、スタータモータ４（スタータスイッチ１１）がオン操作されたか否か判定する。
Ｓ９の判定の結果、スタータモータ４がオン操作された場合、制動液圧生成機構５に供給される電圧が低下して（Ｓ１０）、Ｓ１１に移行する。
図６に示すように、例えば、乗員がドアを開けて車両Ｖに乗り込み（時刻ｔ２）、ブレーキペダル９の踏込操作を開始（ｔ３）すると経過時間と共にストロークＳｔが増加する。
そして、ブレーキペダル９のストロークＳｔと反力発生機構６による操作反力とが釣り合った時刻ｔ４において、乗員によるブレーキペダル９の踏込操作が終了する。
その後、時刻ｔ５において、スタータモータ４がオン操作され、制動液圧生成機構５の電圧が低いレベルに変更される。尚、制動液圧生成機構５の電圧低下が生じても、ストロークＳｔに対応したマスタシリンダ１６から供給される倍力比１倍のブレーキ液圧によって、各車輪に付与される制動力は確保している。
【００４３】
Ｓ１１では、エンジン８の回転数が所定値、例えばアイドリング回転数、以上か否か判定する。
Ｓ１１の判定の結果、エンジン８の回転数が所定値以上の場合、エンジン８の始動が完了したため、Ｓ１２に移行して、バッテリ３のＳＯＣが判定閾値以上か否か判定する。
Ｓ１２の判定の結果、バッテリ３のＳＯＣが判定閾値以上の場合、制動液圧生成機構５を起動して（Ｓ１３）、シミュレータバルブ６ｂを開方向に操作する（Ｓ１４）。
Ｓ１５では、電磁弁２１〜２４を第１モードに設定し、制動液圧生成機構５による倍力比を２倍以上に設定した後（Ｓ１６）、フラグＦを０に設定して（Ｓ１７）、リターンする。
【００４４】
Ｓ１２の判定の結果、バッテリ３のＳＯＣが判定閾値未満の場合、電磁弁２１〜２４を第２モードに設定し（Ｓ１８）、警報を実行した後（Ｓ１９）、リターンする。
Ｓ１１の判定の結果、エンジン８の回転数が所定値未満の場合、エンジン８の始動が完了していない（クランキング途中である）ため、リターンする。
Ｓ９の判定の結果、スタータモータ４がオン操作されていない場合、始動制御処理が継続しているため、リターンする。
【００４５】
次に、上記制動制御装置１の作用、効果について説明する。
実施例１に係る制動制御装置１によれば、ＥＣＵ１０は、スタータモータ４の作動完了前に所定値以上の操作反力をブレーキペダル９に発生させることにより、乗員の踏力増加を誘発することができるため、一時的にバッテリ３のＳＯＣが低下しても、制動液圧生成機構５による各車輪の制動力を十分に確保することができる。
【００４６】
ＥＣＵ１０が、ブレーキペダル９のストロークＳｔと制動液圧生成機構５の制動力との倍力比を１倍に設定したため、制動液圧生成機構５による制動力が十分ではなくても、乗員の踏力Ｆに基づく制動力で停車状態を維持することができる。
【００４７】
制動液圧生成機構５は、バッテリ３のＳＯＣが閾値以下になった場合、制動力を低下させるように構成されたため、バッテリ３のＳＯＣが閾値以下になり制動力を低下させる制動液圧生成機構５であっても、各車輪の制動力を確保することができる。
【００４８】
ブレーキペダル９のストロークＳｔに基づく油圧で車輪ＦＬ，ＦＲ，ＲＬ，ＲＲの制動力を発生可能なマスタシリンダ１６を有し、反力発生機構６が、前記マスタシリンダ１６と流路を介して連通されたストロークシミュレータ６ａと、流路の途中部を開閉可能なシミュレータバルブ６ｂとにより構成されたため、ストロークシミュレータ６ａを用いて乗員の踏力増加を誘発することができる。
【００４９】
ＥＣＵ１０は、シミュレータバルブ６ｂの閉操作に電力が不要な場合、イグニッションオフ状態からエンジン８の始動完了まで操作反力をブレーキペダル９に発生させるため、シミュレータバルブ６ｂの閉操作に電力が不要な油圧回路において、消費電力を抑えつつ車両Ｖの後退を回避することができる。
【００５０】
次に、前記実施形態を部分的に変更した変形例について説明する。
１〕前記実施形態においては、イグニッションオフ状態からエンジンの始動完了まで操作反力をブレーキペダルに発生させる例を説明したが、シミュレータバルブの閉操作に電力が必要な場合には、スタータモータの操作直前状態からエンジン始動完了まで操作反力をブレーキペダルに発生させても良い。
【００５１】
図７に示すように、イグニッションがオフ操作された時刻ｔ０から乗員がドアを開けて車両に乗り込む時刻ｔ２までの間、制動液圧生成機構は作動しているものの、シミュレータバルブ開度及び反力発生機構による操作反力は発生していない。
シミュレータバルブ開度や操作反力は、ドアの開閉検出センサによるドアの開操作検出時から増加され、例えば、乗員がブレーキペダルを踏込操作開始する時刻ｔ３において、マスタシリンダから供給されるブレーキ液圧でも車両の後退を回避できるブレーキペダルのストローク及びこれに対応した操作反力が設定される。
そして、ブレーキペダルのストロークと反力発生機構による操作反力とが釣り合った時刻ｔ４において、乗員によるブレーキペダルの踏込操作が終了し、時刻ｔ５において、スタータモータがオン操作され、制動液圧生成機構の電圧が低いレベルに変更される。
【００５２】
２〕前記実施形態においては、バッテリのＳＯＣが判定閾値未満のとき供給電圧を低下させる制動液圧生成機構の例を説明したが、少なくとも、スタータモータオン操作時、制動液圧生成機構の供給電圧を低下させれば良く、これにより、エンジンの始動性能を向上することができる。
また、イグニッションオフからのエンジンの始動時、供給電圧を低下させる制動液圧生成機構の例を説明したが、アイドリングストップからのエンジンの再始動時、ＤＣＤＣコンバータを介して電力が供給されるため、制動液圧生成機構の電圧低下制御を省略することが可能である。
【００５３】
３〕その他、当業者であれば、本発明の趣旨を逸脱することなく、前記実施形態に種々の変更を付加した形態や各実施形態を組み合わせた形態で実施可能であり、本発明はそのような変更形態も包含するものである。
【符号の説明】
【００５４】
１        制動制御装置
３        バッテリ
４        スタータモータ
５        制動液圧生成機構
６        反力発生機構
８        エンジン
９        ブレーキペダル
１０      ＥＣＵ
１６      マスタシリンダ
Ｖ        車両
Ｓｔ      ストローク
【図１】
2019038319.tif 000003
【図２】
2019038319.tif 000004
【図３】
2019038319.tif 000005
【図４】
2019038319.tif 000006
【図５】
2019038319.tif 000007
【図６】
2019038319.tif 000008
【図７】
2019038319.tif 000009